(57)【特許請求の範囲】
【請求項１】
収容する圧縮空気を噴射可能な圧縮空気タンクと、
前記圧縮空気タンクから噴射される圧縮空気を受けることができるように前記圧縮空気タンクに接続し、内容物を封入した消火ボールに圧縮空気による圧力を加える加圧部と、
前記加圧部に接続され、前記加圧部での圧力を受けて移動を開始する前記消火ボールを先端に案内する案内筒と、
前記案内筒を移動する前記消火ボールの外殻を破砕可能な破砕手段と、を備える消火装置。
【請求項２】
前記破砕手段によって前記消火ボールの外殻を破砕する放出モードと、前記破砕手段による破砕を生じさせない発射モードと、を切り替えるモード切替手段を更に備える、請求項１記載の消火装置。
【請求項３】
前記放出モードが選択される場合には、前記案内筒の先端から、前記消火ボールに封入されている内容物が放出される、請求項２記載の消火装置。
【請求項４】
前記発射モードが選択される場合には、前記案内筒の先端から、前記消火ボールが発射される、請求項２記載の消火装置。
【請求項５】
前記破砕手段は、前記案内筒を移動する前記消火ボールに電気的衝撃、物理的衝撃および化学的衝撃の少なくとも一つを付与する、請求項１から４のいずれか記載の消火装置。
【請求項６】
前記破砕手段は、前記案内筒の内側に突出可能であって、前記案内筒を移動する前記消火ボールに接触可能な突出部材である、請求項５記載の消火装置。
【請求項７】
前記放出モードが選択される場合には、前記突出部材が、前記案内筒の内側であって前記案内筒を移動する前記消火ボールに接触可能な位置にまで突出する、請求項６記載の消火装置。
【請求項８】
前記発射モードが選択される場合には、前記突出部材は、前記案内筒の内側であって前記案内筒を移動する前記消火ボールに接触できない位置にある、請求項６記載の消火装置。
【請求項９】
前記破砕手段は、前記加圧部が、前記消火ボールの外殻の耐久度を超える圧力を加える、請求項５記載の消火装置。
【請求項１０】
前記案内筒は、その内側に溝を有しており、前記溝は、前記消火ボールの外殻が破砕されて放出される内容物を、拡散もしくは収束させる、請求項１から９のいずれか記載の消火装置。
【請求項１１】
前記溝は、表面に露出する形状を変更可能である、請求項１０記載の消火装置。
【請求項１２】
前記加圧部に対向する位置に、前記消火ボールを投入する投入部を更に備える、請求項１から１１のいずれか記載の消火装置。
【請求項１３】
前記案内筒に前記突出部材が突出する場合に得られる内径よりも大きな直径を有する前記消火ボールと、該内径よりも小さな直径を有する前記消火ボールとが、前記投入部に投入可能である、請求項１２記載の消火装置。
【請求項１４】
前記消火ボールが封入する内容物は、消火剤、鎮火剤、鎮静剤、水、染料および顔料の少なくとも一つである、請求項１から１３のいずれか記載の消火装置。
【請求項１５】
前記案内筒は、前記消火ボールの移動方向に沿った空気通路を更に備え、前記加圧部は、前記空気通路に前記圧縮空気タンクからの圧縮空気を送り込む請求項１から１４のいずれか記載の消火装置。
【発明の詳細な説明】
【技術分野】
【０００１】
本発明は、通常の人間が使用できる消火装置であって、特に、近距離の火災の初期消火に適した消火装置に関する。
【背景技術】
【０００２】
近年、都市の過密化や集合住宅の増加に伴い、火災の発生が増えている。また、放火も増加傾向にあり、都市部における不審火も増加している。このような火災においては、火災発生時の初期消火および消防隊による消火作業によって、鎮火される。
【０００３】
初期消火においては、多くの場合消火器が用いられる。多くの住居や集合ビルなどには、消火器の設置が義務付けられているからである。しかしながら、消火器の能力には限界があり、多くの火災においては対応が困難である。また、室内の簡単な出火に対しての室内からの簡単な対応は可能であるが、消火器は、室外からの消火には不向きである。消火器は、例えば台所の調理油からの出火など、限られた用途に限定される。
【０００４】
消防隊による消火作業は、火災の消火においては当然にもっとも重要である。しかしながら、都市型の火災の場合には、交通混雑、道路が狭いなどの事情、頻発する出動要請に対応できないキャパシティなど、消防隊が火災発生後に現場に短時間で到着することはますます難しくなっている。消防隊が現場に到着するまでには、火災規模が大きくなってしまい、消火作業に時間がかかることはもちろん、火災被害も大きくなってしまう。
【０００５】
また、消防隊による消火作業は、消火栓などから消火用の水を得る必要があるが、都市部の火災では、消火栓を探すのが難しかったり、消防車が狭い道路に入りにくく消火栓をつなぐことが難しかったりする。特に、消防隊が到着するときには、火災規模が大きくなっていることが多いので（上述のように、交通混雑、道路事情などによって到着が遅くなりがちであるので）多くの消火栓を確保することが求められる。しかしながら、道路事情や建物との距離や角度によって、消火栓の確保が困難となることも多い。消火栓の確保に手間取ると、火災被害が大きくなってしまう。
【０００６】
このように、都市型の火災が多い現代では、消防隊の到着までに火災規模を抑えたり、消火できたりする初期消火が重要となっている。（１）消防隊の到着の遅れ、（２）消火栓等の確保の困難、といった問題によって、消防隊による消火作業の開始が遅くなる傾向があるからである。これに対して、消火初期消火が十分であれば、消防隊の到着が遅れても火災規模の拡大が防止でき、火災被害を最小限に食い止めることができる。
【０００７】
現代の都市型火災に対しては、初期消火の重要性がますます高まっているが、汎用の消火器では十分な初期消火に対応できない問題がある。また、消防隊員や消防団員のような消防のプロではなく、火災発生時に現場にいる一般人が初期消火できることが求められている。
【０００８】
このような状況において、消防車ではなく、簡便な装置で消火用の水を放水する技術（例えば、特許文献１、特許文献２、特許文献３参照）が提案されたり、消火剤を封入した消火弾を発射する装置（例えば、特許文献４、特許文献５参照）が提案されたりしている。
【先行技術文献】
【特許文献】
【０００９】
【特許文献１】特開２００３−３３９８９８号公報
【特許文献２】特開２００６−２６２３２６号公報
【特許文献３】特開２０１０−１０９７７８号公報
【特許文献４】特開２０１０−１５４２０２号公報
【特許文献５】特開２００７−２１３１２１号公報
【発明の概要】
【発明が解決しようとする課題】
【００１０】
特許文献１〜特許文献３は、消火剤として水を噴射する消火装置を開示する。特許文献１は、貯留している水に電界を付与して霧状態にして火災に噴霧する消火装置を開示する。水のままであるよりも噴霧状態であることで、火災の広がりを抑えることができる。
【００１１】
しかしながら、特許文献１の技術は、貯留している水に電界を付与する必要があり、消火装置が大掛かりになる問題がある。電界付与して霧状にした水を噴霧する手順は、一般人にとっては複雑であり、作業を滞りなく進めることが難しい。当然ながら、火災の時には精神的にパニックになっていたり焦燥感を感じていたりするのであるから、消防のプロでない一般人が、特許文献１に開示される複雑な消火装置を活用することは難しい。
【００１２】
また、特許文献１に開示される消火装置は、タンクに水を貯留するために、消火栓に接続される必要がある。このため、特許文献１の消火装置は、火災発生現場に居る一般人が初期消火を行うのには適していない。
【００１３】
特許文献２は、消化液を充填したポリタンクをカートリッジとして用いるバズーカタイプの消火装置を開示する。バズーカタイプの構成を有しているので、一般人が抱えて使用することができる。この点では、特許文献１に開示される消火装置と異なり、大掛かりな操作を必要としない。特許文献３も、特許文献２と同様の消火装置を開示する。
【００１４】
しかしながら、特許文献２、３に開示される消火装置は、バズーカタイプであるので、使用者が肩に抱えるなどする必要があり、負担が大きい。長時間の使用には不向きである。道路や地面に設置して使用するのには、噴出対象となる火災現場への方向調整などもあり、困難を伴う。また、ポリタンクの水がなくなってしまうと、ポリタンクに水を供給する必要があり、結局、消火栓や水道を探さなくてはならない。
【００１５】
消防隊員や消防団員のような消防のプロではない一般人は、火災現場において消火栓や水道を探したり確保したりすることは難しく、特許文献２、３に開示される消火装置は、プロにしか使いこなせない問題がある。あるいは、一般人は、ポリタンクに充填されている水の量だけを消火に用いることが限界である問題がある。
【００１６】
特許文献４、５は、消火剤を封入した消火弾を発射して、火災現場に着弾させて火災を消火する消火装置を開示する。特許文献４，５に開示される消火装置は、消火弾をそのままで発射するのであるから、火災現場で消火弾を破壊させる必要がある。火災現場と消火装置との距離関係、位置関係は、火災の状況によって様々である。例えば、広い道路や川などの対岸の建物において火災が発生している場合には、火災現場と消火装置との距離が遠くならざるを得ない。逆に、火災現場の周囲が建物で囲われている場合には、火災現場と消火装置との距離は近くならざるを得ない。
【００１７】
消火弾の外形は、樹脂等で形成されていることが多いが、衝撃の大きさによって割れたり割れなかったりする。このため、特許文献４，５に開示される消火装置が消火弾を発射する場合に、火災現場に着弾しても消火弾が割れなかったり、着弾前に割れてしまったりして、確実に消火できない問題もある。火災現場で確実に消火弾が破壊されるように消火弾を発射するのは、一般人にとっては難しい問題がある。
【００１８】
更には、消火弾を着弾時に確実に破壊するには、消火装置と火災現場との距離が大きいことが必要であるので、特許文献４、５に開示される消火装置は、近距離の火災には不向きである。消火弾が火災現場で割れない場合には、消火が実現されない問題がある。
【００１９】
特許文献４、５のような消火弾を発射する消火装置は、消防隊員や消防団員のような消火のプロが、消防車などを活用しにくい火災の消火作業に用いることを想定している。
【００２０】
以上のように、従来技術の消火装置は、次のような問題を解決できない。
（問題１）消防隊員や消防団員のような消火のプロではなく、火災が発生した場所に居る一般人でも、容易に取り扱うことができない。
（問題２）火災が発生した場合に、火災現場が近距離の場合でも長距離の場合でも対応して消火することができない。
（問題３）消火栓や水道などの確保をしなければならず、初期消火に適していない。
（問題４）早期の初期消火によって、火災規模の拡大を抑えることができない。
【００２１】
本発明は、上記課題に鑑み、消火作業に慣れていない一般人であっても、用意されている装置と部材を用いるだけで、火災発生直後の初期消火を確実に行うことのできる消化装置を提供することを目的とする。
【課題を解決するための手段】
【００２２】
上記課題に鑑み、本発明の消化装置は、収容する圧縮空気を噴射可能な圧縮空気タンクと、圧縮空気タンクから噴射される圧縮空気を受けることができるように圧縮空気タンクに接続し、内容物を封入した消火ボールに圧縮空気による圧力を加える加圧部と、加圧部に接続され、加圧部での圧力を受けて移動を開始する消火ボールを先端に案内する案内筒と、案内筒を移動する消火ボールの外殻を破砕可能な破砕手段と、を備える。
【発明の効果】
【００２３】
本発明の消火装置は、小型かつ簡便な装置であるので、建造物や集合ビルの入居テナントのそれぞれあるいは共同で保有しておくことが容易である。更には、消火に必要な消火剤を封入した消火ボールも、予め多量に保有しておくことが容易である。また、本発明の消火装置は、消火ボールを投入して発射するだけであるので、一般人であっても簡単に使用できる。また、消火ボールだけで消火を行うことができるので、消火栓や水道を確保する必要がない。
【００２４】
これらが相まって、本発明の消火装置は、火災が発生した現場およびその直後に、初期消火を行うことができる。消火ボールは、消火弾として活用することもできるので、火災現場との距離によって、放水と投擲とを分けることができ、様々な火災に対応可能である。更には、消火ボールは、手で使用することもできるので、消火装置以外に利用することもでき、この結果、予め多くの消火ボールを保有しておくモチベーションも高まる。このため、火災発生時に、消火栓や水道の確保ができなくても、消火剤が不足することが少ない。
【００２５】
また、本発明の消火装置は、火災現場の外部から使用することもできるので、消火器のような使用者への危険性も少なくなり、火災現場の一般人が使用するモチベーションが更に高まる。この点からも、初期消火が迅速に行われ、火災規模の拡大を防止できる。
【００２６】
結果として、最適な状態で、消防隊の消火作業に引き継ぐことができる。
【図面の簡単な説明】
【００２７】
【図１】本発明の実施の形態１における消火装置の模式図である。
【図２】本発明の実施の形態１における内容物の放出によって火災が消火される状態を示す説明図である。
【図３】本発明の実施の形態１における消火装置の模式図である。
【図４】本発明の実施の形態１における突出部材の斜視図である。
【図５】本発明の実施の形態２における消火装置の模式図である。
【図６】本発明の実施の形態２における発射モードでの消火を説明する説明図である。
【図７】本発明の実施の形態３における案内筒の内面図である
【図８】本発明の実施の形態３における案内筒の側面図である。
【図９】本発明の実施の形態３におけるアタッチメントを備える案内筒の側面図である。
【図１０】発明の実施の形態３にけるアタッチメントを備える案内筒の正面図である。
【発明を実施するための形態】
【００２８】
本発明の第１の発明に係る消火装置は、収容する圧縮空気を噴射可能な圧縮空気タンクと、圧縮空気タンクから噴射される圧縮空気を受けることができるように圧縮空気タンクに接続し、内容物を封入した消火ボールに圧縮空気による圧力を加える加圧部と、加圧部に接続され、加圧部での圧力を受けて移動を開始する消火ボールを先端に案内する案内筒と、案内筒を移動する消火ボールの外殻を破砕可能な破砕手段と、を備える。
【００２９】
この構成により、消火装置は、消火ボールを投入するだけで、水や消火剤を放出して消化を行える。結果として、初期消火が効果的に行われる。
【００３０】
本発明の第２の発明に係る消火装置では、第１の発明に加えて、破砕手段によって消火ボールの外殻を破砕する放出モードと、破砕手段による破砕を生じさせない発射モードと、を切り替えるモード切替手段を更に備える。
【００３１】
この構成により、消火装置は、火災の特性に合わせて、内容物を放出したり、消火ボールを発射したりできる。
【００３２】
本発明の第３の発明に係る消火装置では、第２の発明に加えて、放出モードが選択される場合には、案内筒の先端から、消火ボールに封入されている内容物が放出される。
【００３３】
この構成により、火災に対して、直接的に水や消火剤を浴びせることができる。
【００３４】
本発明の第４の発明に係る消火装置では、第２の発明に加えて、発射モードが選択される場合には、案内筒の先端から、消火ボールが発射される。
【００３５】
この構成により、距離のある火災現場に、消火ボールを投擲できる。
【００３６】
本発明の第５の発明に係る消火装置では、第１から第４のいずれかの発明に加えて、破砕手段は、案内筒を移動する消火ボールに電気的衝撃、物理的衝撃および化学的衝撃の少なくとも一つを付与する。
【００３７】
この構成により、破砕手段は、確実に消火ボールの外殻を破砕できる。
【００３８】
本発明の第６の発明に係る消火装置では、第５の発明に加えて、破砕手段は、案内筒の内側に突出可能であって、案内筒を移動する消火ボールに接触可能な突出部材である。
【００３９】
この構成により、破砕手段は、確実に消火ボールの外殻を破砕できる。
【００４０】
本発明の第７の発明に係る消火装置では、第６の発明に加えて、放出モードが選択される場合には、突出部材が、案内筒の内側であって案内筒を移動する消火ボールに接触可能な位置にまで突出する。
【００４１】
本発明の第８の発明に係る消火装置では、第６の発明に加えて、発射モードが選択される場合には、突出部材は、案内筒の内側であって案内筒を移動する消火ボールに接触できない位置にある。
【００４２】
これらの構成により、突出部材は、容易に放出モードと発射モードとを切り替えられる。
【００４３】
本発明の第９の発明に係る消火装置では、第５の発明に加えて、破砕手段は、加圧部が、消火ボールの外殻の耐久度を超える圧力を加える。
【００４４】
この構成により、放出モードにおいて、消火ボールの外殻が容易に破砕される。
【００４５】
本発明の第１０の発明に係る消火装置では、第１から第８のいずれかの発明に加えて、案内筒は、その内側に溝を有しており、溝は、消火ボールの外殻が破砕されて放出される内容物を、拡散もしくは収束させる。
【００４６】
この構成により、消火装置による消火効率が更に上がる。
【００４７】
本発明の第１１の発明に係る消火装置では、第１０の発明に加えて、溝は、表面に露出する形状を変更可能である。
【００４８】
この構成により、消火装置は、高いフレキシビリティを有する。
【００４９】
本発明の第１２の発明に係る消火装置では、第１から第１１のいずれかの発明に加えて、加圧部に対向する位置に、消火ボールを投入する投入部を更に備える。
【００５０】
この構成により、消火装置は、一般人にとっても、容易に使用される。
【００５１】
本発明の第１３の発明に係る消火装置では、第１２の発明に加えて、案内筒に突出部材が突出する場合に得られる内径よりも大きな直径を有する消火ボールと、該内径よりも小さな直径を有する消火ボールとが、投入部に投入可能である。
【００５２】
この構成により、消火ボールの大きさによって、放出モードと発射モードとを切り替えることができる。
【００５３】
以下、図面を用いて、本発明の実施の形態について説明する。
【００５４】
（実施の形態１）
【００５５】
実施の形態１について説明する。
（全体概要）
まず、実施の形態１における消火装置の全体概要について説明する。図１は、本発明の実施の形態１における消火装置の模式図である。図１は、消火装置を側面から見た状態を示している。消火装置１は、内容物を収容した消火ボールを用いて、火災現場における初期消火を実行する。なお、消火装置１は、初期消火に使用されることが好適であるが、初期消火に限定して用いられるわけではない。消火装置１の使用される状態によって、本発明の権利範囲が限定されるものではない。
【００５６】
消火装置１は、内容物を収容した消火ボールを、加圧から発射の間にその外殻を破砕して、内容物を先端から放出したり、内容物を収容した消火ボールをそのまま先端から発射したりする。内容物が消火機能を有する場合には、消火装置１は、内容物の放出や消火ボールの発射によって、火災を消火する。
【００５７】
消火装置１は、圧縮空気タンク２、加圧部３、案内筒４および破砕手段９を備える。圧縮空気タンク２は、圧縮空気を収容でき、収容している圧縮空気を噴射可能である。加圧部３は、圧縮空気タンク２に接続されており、圧縮空気タンク２から噴射される圧縮空気による圧力を、消火ボール１０に加える。もちろん、加圧部３に消火ボール１０以外が設置されれば、加圧部３は、消火ボール１０以外の物体に圧力を加える。
【００５８】
案内筒４は、加圧部３に接続されて、消火ボール１０の移動（射出）を案内する。すなわち、案内筒４は、加圧部３での圧力を受けて移動を開始する消火ボール１０を、案内筒４の先端に向けて案内する。消火ボール１０は、加圧部３での圧力を受けて、この案内筒４内部を移動する。破砕手段９は、案内筒４を移動する消火ボール１０の外殻を破砕可能である。破砕可能であるので、常に破砕するのではなく、必要に応じて（使用者の設定に応じて）破砕する。案内筒４の先端には射出口４２が存在するが、ここで言う先端とは、射出口４２を含んだ、案内筒４の先の領域を言う。当然ながら、破砕手段９で消火ボール１０の外殻が破壊された場合には、消火ボール１０は射出口４２まで到達できないのであるから、案内筒４は、消火ボール１０を必ずしも射出口４２まで案内するわけではなく、先端方向に案内するということである。消火ボール１０がそのまま発射される場合には、案内筒４は、消火ボール１０を射出口４２まで案内する。
【００５９】
案内筒４は、設置位置４１と射出口４２を有する。設置位置４１と射出口４２のそれぞれは、案内筒４と接続する筒状の部材によって形成されても良い。設置位置４１は、消火ボール１０が設置される位置であり、消火ボール１０に対して加圧部３が圧力を加える位置である。また、後述の投入部から消火ボール１０が投入される場合には、消火ボール１０は、この設置位置４１に設置される。
【００６０】
また、消火装置１は、案内筒４やその他の要素を支えつつ、消火装置１を移動させたり設置させたりするための台座６を備えている。台座６は、消火装置1全体を安定させて立脚させるので、一般人である使用者は、台座６で安定的に立脚する消火装置１を容易に使用できる。また、台座６は、車輪を備えていることで、使用者は消火に最適な場所に簡単に移動させることができる。従来技術のバズーカタイプの消火装置では、使用者が重たい装置を担いで運搬したり使用したりする必要があったが、実施の形態１の消火装置１は、このような手間や負担が少ない。もちろん、台座６が車輪を備えておらず、車輪のある台車に搭載されることでも良い。
【００６１】
また、圧縮空気タンク２と加圧部３とは、圧縮空気の送り込みのための連絡路５を有していてもよい。圧縮空気タンク２と加圧部３とは、圧縮空気の送り込みができればよいのであるが、消火装置１の全体の構造上の特徴などによっては、連絡路５が設けられることもある。
【００６２】
また、消火装置１は、操作ダイヤル１１と操作ボタン１２を備えている。図１においては、圧縮空気タンク２に操作ダイヤル１１と操作ボタン１２が備わっているように表されているが、案内筒４に備えられても良いし、電気ケーブルで接続された操作卓に備えられても良い。
【００６３】
操作ダイヤル１１は、後述の放出モードと発射モードの切り替えを行ったり、発射の際の圧力の調整を行ったり、発射間隔の調整を行ったりする。使用者は、操作ダイヤル１１を操作して、操作ボタン１２によって、発射等を実行する。
【００６４】
（内容物の放出による消火）
次に、内容物の放出による消火について説明する。
【００６５】
消火ボール１０は、加圧部３で圧力を加えられることで、案内筒４内部を矢印Ａに沿って移動する。圧縮空気の圧力を受けているので、高速に移動できる。消火ボール１０は、案内筒４を移動する際に、破砕手段９によって、その外殻が破砕される。破砕手段９は、例えば突出部材である。案内筒４内部を高速で移動する消火ボール１０は、この突出部材と接触して、その外殻が破砕される。
【００６６】
消火ボール１０の外殻が破砕されれば、消火ボール１０の内容物が吐出される。消火ボール１０に圧力が加えられた後で、消火ボール１０の外殻が破砕されるので、吐出する内容物はその勢いを保っており図１に示されるように、案内筒４の先端４２から内容物１００が放出される。特に、放出される際には、拡散しつつも集中した状態で、内容物１００は、対象である火災に到達する。消火ボール１０が収容している内容物は、消火剤、鎮火剤、鎮静剤、水、染料および顔料の少なくとも一つである。これらの内容物が、消火ボール１０の破砕によって、射出口４２から放出されることで、火災を消火できる。
【００６７】
消火ボール１０が案内筒４内部で破砕されて、内容物１００が火災に放出されることで、消火ボール１０が着弾の際に割れないなどで、消火剤などの内容物１００の効果が得られない問題はない。消火剤や水などの内容物１００は、その状態で火災に到達して、消火機能を発揮するからである。また、加圧部３および案内筒４を消火ボール１０が移動した後での、破砕による内容物１００の放出であるので、内容物１００は、通常の放水よりも距離、角度、照準を十分に有して、火災に到達できるメリットもある。
【００６８】
図２は、本発明の実施の形態１における内容物の放出によって火災が消火される状態を示す説明図である。図２は、家屋５０で火災が発生している状態を示しており、家屋５０の火災６０に対して、消火装置１が内容物１００を放出する状態を示している。消火装置１の射出口４２から、消火ボール１０が破砕して吐出する内容物１００が放出されている。この放出される内容物１００は、高速に移動する消火ボール１０の勢いを有しているので、火災６０に向けて強い勢いをもって到達できる。内容物１００は、水や消火剤を含んでいるので、火災６０を消火できる。もちろん、内容物１００は、霧状になって噴霧されるごとく放出されることもありえる。この場合には、内容物１００が拡散しながら放出される。放出は、内容物１００の特性に応じて、霧状の噴霧であったり、液体の発射であったり、粉体の拡散であったりする。
【００６９】
また、消火ボール１０が次々に投入されるだけで、射出口４２から消火剤や水などが火災に向けて放出される。このため、消火栓や水道を確保する必要がなく、予め用意されていた消火ボール１０が投入されるだけで、消火装置１は消火を行える。加えて、消火装置１は、強い勢いと正しい照準で内容物１００を放出できるので、使用者には熟練が不要であるし、火災６０と一定の距離を保って作業することもできる。この安心感によって、消防隊員や消防団員ではない一般人が、火災発生直後に、消火装置１を用いて初期消火の作業を行える。もちろん、消火栓や水道を確保したりつないだりする必要がないことは、使用者の手間や負担を軽減できると共に火災６０と消火装置１との位置関係の最適な確保も実現できる。
【００７０】
また、消火ボール１０は、通常の消火弾として利用されたり、犯罪対策用のカラーボールとして利用されたりすることもできるので、様々な場所において、消火ボール１０を保有しておくモチベーションが高い。このため、消火装置１と合わせて消火ボール１０を多量に保有している可能性が高く、消火装置１が消火の際に用いられる場合には、保有されている消火ボール１０が次々と投入されれば良いことになる。これは、消火栓や水道の確保、あるいは水道からカートリッジに水を汲むなどの作業を不要とできる。
【００７１】
すなわち、実施の形態１の消火装置１は、次のようなメリットを提供できる。
（１）一般人でも簡単に操作できる。
（２）消火栓や水道の確保といった手間がないので、火災発生直後に消火活動を開始できる。消火開始が早いことで、火災規模の増加を効果的に抑えられる。
（３）消火ボール１０が着弾時に破砕しないなどのリスクや不安を回避でき、確実に消火できる。
（４）火災現場に居る一般人による初期消火が効果的に行われることで、消防隊などの到着後による確実な消火作業も効率的かつ確実になり、火災被害が抑えられる。
【００７２】
次に、各部の詳細について説明する。
【００７３】
（圧縮空気タンク）
圧縮空気タンク２は、圧縮空気を収容し、加圧部３に所定のタイミングで圧縮空気を噴射する。圧縮空気は、空気ボンベから供給されたり、コンプレッサーを用いて取り込んだ空気を圧縮したりして供給されたりする。圧縮空気タンク２は、このような経路で供給される圧縮空気を収容しておく。消火装置１は、その外形となる筐体に操作ボタン１２や操作ダイヤル１１を有しており、使用者は、これら操作ボタン１２や操作ダイヤル１１を操作することで、消火ボール１０を発射（内容物１００を放出）するために圧縮空気タンク２の圧縮空気の噴射を実行する。なお、ここで説明する操作ボタン１２や操作ダイヤル１１の操作は、一例であり、実際には消化装置１の仕様や作りこみによって種々の例があればよい。
【００７４】
例えば、操作ダイヤル１１は、圧縮空気の圧力の値を調整するのに用いられる。使用者が操作ダイヤル１１を、その目盛りに合わせて調整することで、圧縮空気タンク２の圧縮空気の圧力を調整できる。また、消火ボール１０の発射や発射角度などを調整するのに用いられる。使用者は、操作ボタン１２を用いて、消火ボール１０の加圧部３から案内筒４への射出を実行する。
【００７５】
圧縮空気タンク２は、圧縮空気を収容可能な構造や機能を有するので、内部が中空であって圧力に耐えられる形状や構造を有する。例えば、圧力に耐えられるように金属や合金などの耐久性の高い素材で形成されることも好適である。一例として空気ボンベと同様の素材や構造を有している。また、消火装置１全体の形状や大きさに合わせた形状や大きさを有していることが好適であり、使用の態様を考慮すると、消火装置１の後方に位置することが適当である。
【００７６】
また、圧縮空気タンク２は、圧縮空気を加圧部３に噴射するために噴射口を供えていることも好適である。すなわち、圧縮空気タンク２は、使用者の操作ボタン１２の操作に基づいて瞬間的に開口して収容する圧縮空気を噴射する噴射口を備えている（噴射口は、図示せず）。噴射口は、圧縮空気を瞬間的に噴射して消火ボール１０に十分な圧力を付与するために、操作ボタン１２からの操作に連動して瞬間的に開口する機構を備えている。噴射口から圧縮空気が噴射されることで、加圧部３に設置される消火ボール１０に圧力が付与される。
【００７７】
また、圧縮空気タンク２と加圧部３とは直接的に接続されていても良いし、図１に示されるように連絡路５によって接続されていても良い。直接的に接続されている場合には、噴射口から噴射される圧縮空気は、直接的に加圧部３に導入されて消火ボール１０に噴射される。一方、連絡路５によって接続される場合には、噴射口から噴射される圧縮空気は、連絡路５を通じて消火ボール１０に噴射される。いずれの場合であっても消火ボール１０には、圧縮空気が噴射されて圧縮空気による圧力が付与される。連絡路５があることで、圧縮空気タンク２の設置位置の自由度が高まるメリットがある。また、図示はしていないが、発射バルブが加圧部３と圧縮空気タンク２との間に存在し、発射バルブの作用によって、圧縮空気が加圧部３に送り込まれても良い。
【００７８】
また、圧縮空気タンク２は、連続的に圧縮空気を加圧部３に噴射できるように、噴射後に空気ボンベやコンプレッサーを通じて圧縮空気が供給される。圧縮空気タンク２は、取り外し可能になっており、発射する消火ボール１０の種類に応じた圧縮空気タンク２が取り付けられることも好適である。また、圧縮空気タンク２は、案内筒４などと共に、台座６に接続して設置されていることが好適である。台座６によって設置されることで、消火装置１全体が安定して操作できるようになるからである。
【００７９】
（加圧部）
【００８０】
加圧部３は、設置位置４１に設置された消火ボール１０に、噴射される圧縮空気による圧力を付与する。また、図には示していないが、圧縮空気タンク２と加圧部３との間には、発射バルブが備わっており、この発射バルブによって、圧縮空気タンク２から一つの消火ボール１０を射出するだけの圧縮空気が加圧部３に投入される。このため、圧縮空気タンク２には、一つの消火ボール１０を射出するに対応する量の圧縮空気が収容される。圧縮空気タンク２は、ボール一つ分の圧縮空気を排出すると、新たに空気の供給を受けて、圧縮空気を収容する。
【００８１】
加圧部３は、圧縮空気タンク２と接続しつつ案内筒４とも接続し、設置位置４１において消火ボール１０を設置する。このため、加圧部３は、内部空間を有しており、消火ボール１０が加圧部３から案内筒４に移動できる筒状であることが好ましい。また、加圧部３は、案内筒４に接続する筒状の部材であり、消火ボール１０の直径と同径の内径を有して、消火ボール１０によって密閉される構造であることが好ましい。
【００８２】
加圧部３は、設置位置４１に消火ボール１０を設置するための、投入部７を更に備えても良い。
【００８３】
図３は、本発明の実施の形態１における消火装置の模式図である。図３に示される消火装置１は、設置位置４１に消火ボール１０を設置するための（消火ボール１０を供給するための）投入部７を備えている。この投入部７を通じて、使用者は消火ボール１０（内部に内容物が収容されている）を、設置位置４１に供給する。投入部７は、加圧部３に接続する部分にシャッターを有しており、シャッターが開くことで、投入部７から消火ボール１０が加圧部３に投入される。このとき、シャッターは、加圧部３から消火ボールが射出されたことを認識して開き、次の消火ボール１０が加圧部３に投入される。もちろん、連続的に消火ボール１０が投入されてもよい。
【００８４】
投入部７は、加圧部３の筐体に接続しており、加圧部３の内部空間につながっている。このため、投入部７の投入口７１から消火ボール１０が投入されると、投入された消火ボール１０は、投入部７の内部空間を移動して加圧部３に入り込み、設置位置４１において停止する。設置位置４１には単体の消火ボール１０のみが設置されるので、次の消火ボール１０は、設置位置４１に到達せず投入部７に残る。例えば、投入部７と加圧部３との接続部分は、開閉可能なドアやシャッターを備えており、このドアやシャッターによって消火ボール１０は投入部７に留まる。このドアやシャッターが開くことで投入部７から加圧部３へ消火ボール１０が供給される。すなわち、常に一つの消火ボール１０が、設置位置４１に供給されて設置される。加圧部３で圧縮空気が噴射されて消火ボール１０が発射されると、投入部７のドアやシャッターが開いて、次の消火ボール１０が設置位置４１に供給される。
【００８５】
あるいは、設置位置４１は、センサーを備えておき、このセンサーが設置位置４１に消火ボール１０が設置されたことを認識すると、加圧部３は、自動的に圧力を付与して消火ボール１０を案内筒４に射出する。射出後に、投入部７のドアやシャッターが開いて、次の消火ボール１０の供給を可能とする。
【００８６】
投入部７は、必要に応じて設けられれば良く、加圧部３に設けられた開口部から一つずつ手作業で消火ボール１０が投入される構成であっても良い。
【００８７】
加圧部３は、設置された消火ボール１０に、噴射される圧縮空気の圧力を効果的に付与するために、加圧部３の内部空間は、消火ボール１０の形状および大きさに合わせた形状や大きさを有することが適当である。すなわち、消火ボール１０が球形である場合には、加圧部３の内部空間は円形の断面を有する筒状であることが好適である。また、噴射される圧縮空気が消火ボール１０の周囲から案内筒４に漏れ出てしまわないように、加圧部３の内部空間は、消火ボール１０の直径に略等しい（但し、消火ボール１０が移動可能な程度の隙間を有している）ことも好適である。このような形状や大きさを有していれば、消火ボール１０に対して、加圧部３は効果的に圧力を付与できる。
【００８８】
また、加圧部３は、消火ボール１０の大きさの変化に合わせて、その内径を変化可能であることも好適である。例えば、収縮リングなどを内面に備えており、この収縮リングの収縮や拡張に合わせて、加圧部３の内径が変更される。
【００８９】
このように、加圧部３は、設置位置４１に設置された消火ボール１０に、噴射される圧縮空気による圧力を効果的に付与する。
ここで、設置位置４１は、消火ボール１０を安定的に設置できるように構成されており、消火ボール１０を弱めに固定できる。例えば、設置位置４１は、圧縮空気タンク２の噴射口と一体で形成されている開口可能なドアであり、この噴射口に寄りかかって消火ボール１０は固定される。圧縮空気タンク２から圧縮空気が噴射される際にこの噴射口が開口し、開口される瞬間に消火ボール１０に圧縮空気が噴射される。この結果、消火ボール１０には圧力が加わり、案内筒４にかけて移動できる。また、加圧部３は、案内筒４と別体で成型されても良いし、一体で成型されても良い。また、機能に着目して加圧部３と案内筒４とを区別した要素として説明しているが、物理的・視覚的に別体として把握されなければならないわけではない。
【００９０】
（案内筒）
【００９１】
次に、案内筒４について説明する。
【００９２】
案内筒４は、加圧部３で圧縮空気の圧力によって移動を開始した消火ボール１０を、先端に向けて移動させる。案内筒４は、先端に向けて移動させるが、消火ボール１０の外殻が破砕手段９で破砕される場合には、消火ボールは射出口４２から発射されず、図１、図２のように、内容物１００が放出される。あるいは、破砕手段９で消火ボール１０の外殻が破砕されない場合には、射出口４２から消火ボール１０がそのまま発射される。すなわち、案内筒４は、消火ボール１０を先端方向（射出口４２までの場合もあるしその手前の場合もある）に向けて案内する。
【００９３】
また、案内筒４は、消火ボール１０を先端に向けて移動させる過程で、消火ボール１０を加速する。消火ボール１０は、加圧部３で受ける圧縮空気の圧力だけでなく、案内筒４を移動する間に加速されて、その発射時の速度を高める。これは、銃のバレル内部を移動する過程で、銃弾が加速することと同様である。
【００９４】
案内筒４は、消火ボール１０を案内するので、その方向や角度によって、放出される内容物１００の方向や角度（あるいは到達距離）や発射される消火ボール１０の方向や角度（あるいは到達距離）を決定できる。このため、案内筒４は、上下左右に角度を変更することが可能である。また、場合によってはその長さを伸縮させることも可能である。案内筒４の長さによって、内容物１００や消火ボール１０の到達距離が変化するからである。
【００９５】
例えば、消火装置１に対して火災６０の位置が下向きであれば、案内筒４の先端を下向きにし、消火装置１に対して火災６０の位置が上向きであれば、案内筒４の先端を上向きに調整すれば良い。
【００９６】
また、案内筒４は、加圧部３で付与された圧縮空気の圧力を利用して、その内部において高速に消火ボール１０を移動させる。すなわち、消火ボール１０は、加圧部３で圧縮空気の圧力を付与されるだけでなく、案内筒４においても圧縮空気の圧力を受けている。圧縮空気タンク２から噴射された圧縮空気は、加圧部３を基点に案内筒４内部でも伝わっていく。すなわち、圧縮空気は、加圧部３から案内筒４にかけて、消火ボール１０を押し出す役割を果たす。圧縮空気が加圧部３から案内筒４にかけて消火ボール１０を押し出すことで、消火ボール１０は、案内筒４内部においても加速度を受けて速度を増していく。この結果、消火ボール１０が破砕手段９で破砕される場合でも、飛び出す内容物１００は、強い勢いを有しており、火災６０に向けて十分な勢いを持って到達できる。もちろん、消火ボール１０がそのままで発射される場合でも、火災６０に向けて十分な勢いを持って到達できる。
【００９７】
案内筒４は、消火ボール１０が移動できる内部空間を有していることが好適である。特に、加圧部３と同様に、消火ボール１０の形状や大きさに対応した内部空間を有していることが好適である。このため、案内筒４は筒状であることが好ましく、その内部空間の断面は、消火ボール１０の形状と大きさとに略等しい形状と大きさを有していることが好ましい。もちろん、消火ボール１０がスムーズに移動できるような外周の隙間は設けられてよい。但し、圧縮空気が消火ボール１０の外周から漏れ出てしまわない程度の隙間であることが好ましい。
【００９８】
案内筒４は、台座６に接続されており、この台座６によって案内筒４が支持されている。このとき、案内筒４が台座６に対して角度を変更できるように、角度調整機構を備えていることも好適である。例えば、ねじによって角度調整機構は実現される。案内筒４は、金属、合金、樹脂などで形成されている。
【００９９】
（破砕手段）
破砕手段９は、消火ボール１０の外殻を破砕する。外殻を破砕するとは、消火ボール１０が収容する内容物１００を、射出口４２から放出可能な状態にすることである。破砕手段９は、消火ボール１０の外殻を破砕すればよいので、案内筒４を移動する消火ボール１０に対して、電気的衝撃、物理的衝撃および化学的衝撃の少なくとも一つを与える。これらの衝撃によって、破砕手段９は、消火ボール１０の外殻を破砕する。
【０１００】
電気的衝撃は、例えば移動中の消火ボール１０に対して電流やプラズマを付与して、外殻を破砕する。物理的衝撃は、部材や圧力などの物理作用によって、外殻を破砕する。化学的衝撃は、消火ボール１０の外殻を溶融させるような溶剤を吐出することで、外殻を破砕する。電気的衝撃、物理的衝撃および化学的衝撃のいずれであっても、消火ボール１０が移動中にその外殻を破砕するので、破砕された消火ボール１０から収容されていた内容物１０は、図１に示されるように、射出口４２から勢い良く放出される。
【０１０１】
物理的衝撃の一例として、破砕手段９は、図１や図３に示されるような案内筒４を移動する消火ボール１０に接触可能な突出部材を有する。突出部材は、樹脂、金属、合金など硬質の素材で形成されていたり、先端がとがっていたり鋭くなっていたりすることで、移動する消火ボール１０にこの突出部材が接触するだけで、破砕手段９は、消火ボール１０の外殻を破砕できる。
【０１０２】
図４は、本発明の実施の形態１における突出部材の斜視図である。突出部材９１は、先端９２が尖っている（鋭くなっている）形状を有している。突出部材９１は、例えば案内筒４に設けられた穴４７に装着される。突出部材９１は、この穴４７を矢印Ａのように上下移動可能である。突出部材９１が穴４７を上に移動している場合には、突出部材９１の先端９２は、案内筒４内部に到達しないか、到達しても消火ボール１０に到達しない。一方、突出部材９１が穴４７を下に移動した場合には、先端９２は、案内筒４内部を矢印Ｂに沿って移動する消火ボール１０に接触する。先端９２は、尖っているので、突出部材９１は、消火ボール１０を破砕することが可能である。
【０１０３】
突出部材９１の穴４７に対する突出量を増減することで、消火ボール１０の破砕を調整することができる。
【０１０４】
また、案内筒４は、複数の穴４７を備えておくことで、突出部材９１の取り付け位置を変えることができる。特に、案内筒４の先端に近い側の穴４７に突出部材９１が取り付けられる場合、案内筒４の中央付近の穴４７に取り付けられる場合、案内筒４の手前側の穴４７に取り付けられる場合などに切り分けられると、突出部材９１が消火ボール１０を破砕する位置を切り替えることができる。例えば、内容物１００を、より収束させて放出したい場合やより拡散させて放出したい場合などに応じて、突出部材９１の取り付け位置を決定すればよい。
【０１０５】
あるいは、破砕手段９は、加圧部３で与えられる圧力が、消火ボール１０の外殻の耐久度を超えることを利用しても良い。加圧部３は、圧力を与えて消火ボール１０を案内筒４に射出する。このとき、加圧部３は圧縮空気による圧力を加えるのであるから、消火ボール１０の外殻には圧力による力が加わる。この力が大きければ、外殻が破砕されることもある。外殻は樹脂などで形成されているので、耐久性を超える力が加わると、外殻は案内筒４での移動中に破砕される。この結果、内容物１００が、射出口４２から勢い良く放出される。
【０１０６】
これらの破砕手段９の具体例は一例であり、案内筒４を移動中に、外殻を破砕できる部材や方法を様々に含む。
【０１０７】
また、突出部材９１が消火ボール１０の外殻に届かない程度に引っ込んでいる場合には、消火ボール１０の外殻が破砕されないので、消火装置１は、消火ボール１０を消火弾として発射できる。破砕手段９は、消火ボール１０が移動中にその外殻を破砕可能であって、常に破砕することを意図しているわけではない。
【０１０８】
なお、後述するが、消火装置１は、オプションとして、消火ボール１０の外殻を破砕して内容物１００を射出口４２から放出する放出モードと、消火ボール１０の外殻を破砕せずに消火ボール１０をそのまま射出口４２から発射する発射モードとを切り替え可能に備える。
【０１０９】
破砕手段９によって内容物１００が射出口４２から放出されるのは、このオプションが存在する場合には、放出モードが洗濯されて居場合である。このオプションがそもそも設けられていない場合には、破砕手段９が外殻の破砕を行える状態になっていれば、破砕によって飛び出る内容物１００が射出口４２から放出される。
【０１１０】
なお、案内筒４内部で消火ボール１０の外殻が破砕されることで内容物１００が射出口４２から勢い良く飛び出すことが求められるので、突出部材９１などで構成される破砕手段９は、案内筒４における先端側に近い位置に設けられることが好適である。消火ボール１０のスピードが加速して、案内筒４の射出口４２から飛び出るだけとなった先端側で破砕されることで、射出口４２から、勢い良く内容物１００（液体の消火剤や水などであれば特に）が放出されるからである。
【０１１１】
以上のように、実施の形態１における消火装置１は、消火ボール１０を案内筒４内部で破砕して、内容物１００を放出することで容易に火災を消火できる。特に、消火装置１は、大掛かりでも複雑でもなく、抱えたりする必要もないので、火災現場に居る一般人が使用しやすい。また、消火栓や水道の確保も不要なので、火災発生直後に消火を開始できる。また、消火ボール１０は、消火弾としても使用できるものであるから、保有や保管されていることが容易である。火災発生の建造物以外で所有している消火ボール１０を利用することもできる。これらが相まって、一般人が即座に消火活動に入ることができ、初期消火の精度が上がり、火災被害の拡大を防止できる。
【０１１２】
また、実施の形態１における消火装置１は、火災が発生した現場に居合わせた一般人だけではなく、駆けつけた消防隊員や消防団員によって用いられることも好適である。初期消火のために駆けつけた消防隊員が、消火栓を探すことが難しい場合などには、消火装置１をまず用いて初期消火を行う。
【０１１３】
（実施の形態２）
【０１１４】
次に、実施の形態２について説明する。
【０１１５】
消火ボール１０の外殻を破砕して内容物１００を放出することが適している火災や火災現場の状況と、消火ボール１０がそのまま発射されて着弾することが適している火災や火災現場の状況とがある。このため、消火装置１は、実施の形態１のように消火ボール１０の外殻が破砕されることを前提とするだけでなく、内容物１００の放出と消火ボール１０の発射とを切り替えることを可能とすることも好適である。実施の形態２では、消火ボール１０の外殻を破砕して内容物１００を放出する放出モードと消火ボール１０の外殻を破砕せずに、消火ボール１０のままで発射する発射モードとを切り替える消火装置１を説明する。
【０１１６】
図５は、本発明の実施の形態２における消火装置の模式図である。消火装置１は、放出モードと発射モードとを切り替えるモード切替手段を備えており、図５に示すように、放出モードでは内容物１００を放出し、発射モードでは消火ボール１０を発射する。切替手段は、操作ダイヤル１１によって実現され、操作ダイヤル１１は、放出モードと発射モードを切り替える。例えば、操作ダイヤル１１は、モード切替スイッチを備えており、このスイッチの切り替えによって、消火装置１は、モード切替を実現する。
【０１１７】
例えば、モード切替手段で放出モードが選択された場合には、突出部材９１が案内筒４内部に対して、移動する消火ボール１０に接触可能な程度にまで突出する。逆にモード切替手段で発射モードが選択された場合には、突出部材９１が案内筒４において、消火ボール１０と接触できない位置に移動する。あるいは、破砕手段９が、加圧部３での圧力の大きさを利用する場合には、モード切替手段で放出モードが選択された場合には、加圧部３での圧力が大きく、モード切替手段で発射モードが選択された場合には、加圧部での圧力が小さくなる。このような切り替えによって、消火ボール１０の外殻が破砕されるか、されないかが、切り分けられる。
【０１１８】
発射モードが選択された場合には、破砕手段９が消火ボール１０の外殻を破砕しないことになり、消火ボール１０がそのまま射出口４２から発射される。射出口４２から消火ボール１０がそのまま発射される場合には、消火ボール１０は、火災現場に着弾する。着弾の際の衝撃によって、消火ボール１０の外殻は破砕されて収容されている内容物１００が火災現場で広がって消火できる。
【０１１９】
火災現場が、消火装置１に近い状態であると、消火ボール１０が着弾しても衝撃が弱く破砕しない可能性もある。このような場合には、実施の形態１で説明したように、案内筒４の中で消火ボール１０の外殻が破砕されて、内容物１００が放出されるほうが好適である。特に、近距離の火災であれば、着弾の際に初めて内容物が広がるよりも、最初から内容物が放射されるほうが、消火効率も高いからである。内容物が液体の消火剤や水などの場合には、特にこの傾向がある。
【０１２０】
一方、火災現場が、消火装置１から遠いこともある。火災現場の立地状況や使用者が火災を恐れて火災現場に近づけない場合などである。このような場合に、水や消火剤などの内容物１００を、射出口４２から放出するよりも、遠い位置の火災現場に消火ボール１０を発射して着弾させたほうがよい。このような場合に対応して、消火装置１は、発射モードによって消火ボール１０を火災現場に発射して着弾させることのできるオプションを有している。
【０１２１】
図６は、本発明の実施の形態２における発射モードでの消火を説明する説明図である。発射モードが選択される場合には、消火装置１（射出口４２）は、消火ボール１０を発射する。住居５０に発生している火災６０に向けて、消火装置１は、消火ボール１０を発射する。消火ボール１０は、火災６０に着弾して、その衝撃で破砕する。消火ボール１０の破砕によって、内容物１００が火災６０の周囲に広がり、消火を行う。
【０１２２】
消火装置１は、発射モードが選択される場合には、突出部材９１が消火ボール１０に接触しない位置になり、消火ボール１０をそのまま発射できる。また、消火装置１は、着弾時に確実に消火ボール１０が破砕されるように、加圧部３での圧力を調整する。例えば、射出口４２を出る際に、消火ボール１０の速度が最大になるように調整する。
【０１２３】
消火装置１が、消火ボール１０をそのままで発射できる機能をも有していると、消火弾として消火ボール１０を保管しておくモチベーションが高まる。ある場合には、消火装置１は、消火弾としての消火ボール１０を発射することを主として用いられることもありえるからである。この結果、火災現場となりうる建造物、住居、ビルなどで、多量の消火ボール１０が保管されることになり、消火装置１を用いた初期消火の達成度が更に高まる。
【０１２４】
以上のように、消火装置１は、モード切替手段によって、火災環境に合わせた消火を実現できる。
なお、投入部７は、突出部材９１が突出した状態で得られる内径よりも大きな直径を有する消火ボール１０と、この内径よりも小さな直径を有する消火ボールとを、投入可能であることも好適である。内径より大きな直径を有する消火ボール１０が投入される場合には、案内筒４を移動する消火ボール１０は、突出部材９１によってその外殻が破砕される。結果として射出口４２から内容物１００が放出される。内径より小さな直径を有する消火ボール１０が投入される場合には、案内筒４を移動する消火ボール１０は、突出部材９１と接触しないので、射出口４２から消火ボール１０がそのまま発射される。この場合は、火災現場に着弾して、消火する。
【０１２５】
このように、モード切替手段によらず、投入する消火ボール１０の直径によって、内容物１００を放出する放出モードと消火ボール１０をそのまま発射する発射モードとのいずれかを切り替えることも可能である。
【０１２６】
実施の形態２における消火装置１は、発射モードと放出モードとを切り替えることができるので、火災や火災現場の環境や状況に合わせて、最適な消火活動を行うことができる。このようなフレキシビリティにより、消火装置１および消火ボール１０の普及が高まり、消火栓や水道を確保しにくい火災現場における初期消火が、より容易になる。
【０１２７】
（実施の形態３）
【０１２８】
次に、実施の形態３について説明する。
実施の形態３における消火装置１は、案内筒４における消化ボール１０の移動や、内容物１００の放出をより良くするための工夫を有する。
【０１２９】
（溝）
案内筒４は、その内側（内周）に溝を有していることも好適である。この溝は、消火ボール１０の外殻が破砕されて放出される内容物１００を、拡散もしくは収束させる。図７は、本発明の実施の形態３における案内筒の内面図である。案内筒４は、その内周に溝４８を備えている。溝４８は、方向付けを行うことができるので、案内筒４内部で消火ボール１０の外殻が破砕されて飛び出す内容物１００を案内する。図７のように、溝４８が案内筒４の根元から先端に向けて（射出口４２に向けて）集まるようになっているので、内容物１００を収束させやすい。
【０１３０】
溝４８が内容物１００を収束させると、その勢いを保ったまま射出口４２から放出される内容物１００は、収束した状態で放出される。例えば、火災が非常に小さいピンポイントの場合には、水や消火剤などの内容物１００が収束して放出されることで、消火効率が高まる。
【０１３１】
また、溝４８が、案内筒４の先端に向けて拡散するような形状を有している場合には、消火ボール１０の破砕により飛び出る内容物１００は、射出口４２から拡散するように放出される。この拡散されながの放出によって、広い範囲に満遍なく放出物１００を浴びせることができる。例えば、広めの火災に対しては、このように内容物１００が拡散されて放出されることが好ましい。
【０１３２】
溝４８の形状は、一例であり、様々な形状を有することで、内容物１００の放出において、収束や拡散を実現する。この結果、火災の特性に応じた、内容物１００の放出が可能となる。
【０１３３】
また、溝４８の表面にスライド可能なカバーが設けられてもよい。カバーが移動すると、溝４８を覆ったり露出させたりする。このカバーが溝４８を覆っている場合には、溝４８は案内筒４の内周に露出せずに溝４８はその機能を発揮しない。逆に、カバーがスライドして溝４８を露出させる場合には、溝４８は、その機能を発揮できる。溝４８の機能は、火災の特性や火災現場の環境に応じて、必要／不要が決まるので、カバーによって、溝４８の露出が切り替えられることも好適である。
【０１３４】
また、カバーのスライドによって溝４８の露出形状が変化することで、案内筒４は、拡散と収束とを切り替えることもよい。
【０１３５】
（空気通路）
また、案内筒４は、消火ボール１０の移動方向に沿った空気通路を備えることも好適である。加圧部３は、空気通路に対して圧縮空気タンク２からの圧縮空気を送り込んで消火ボール１０の移動をスムーズにする。図８は、本発明の実施の形態３における案内筒の側面図である。
【０１３６】
案内筒４は、空気通路４５を備えている。空気通路４５は、案内筒４における消火ボール１０の移動方向に沿って形成されている。空気通路４５は、案内筒４の内壁に設けられた溝状の凹部であり、消火ボール１０で案内筒４内部が埋まる場合であっても、この空気通路４５を空気が抜けることができる。このため、消火ボール１０と案内筒４の内面との摩擦が低下して、消火ボール１０の移動が容易となる。
【０１３７】
空気通路４５は、案内筒４とつながっているので、消火ボール１０が案内筒４を移動する際に、消火ボール１０の回りに空気の流れを生じさせる。案内筒４は内部空間を有し、消火ボール１０は、この内部空間を移動する。このとき、消火ボール１０が内部空間にすっぽりとはまっている場合には（消火ボール１０の直径と内部空間の直径とが略同一である場合）、案内筒４における消火ボール１０の移動での安定性は高まるが、消火ボール１０は、内部空間との摩擦によって移動しにくくなる。
【０１３８】
一方、案内筒４の内部空間の直径が消火ボール１０よりも十分に大きい場合には、消火ボール１０の移動は妨げられないが、消火ボール１０の移動における方向性がそろわなくなり、消火ボール１０の発射方向の制御が困難になる問題がある。
【０１３９】
空気通路４５は、案内筒４にすっぽりとはまっている場合でも、消火ボール１０の周囲に空気の抜け道を形成するので、消火ボール１０と案内筒４の内壁との摩擦を低減できる。加えて、空気通路４５は、圧縮空気を輸送するので、消火ボール１０の案内筒４内部での移動を助ける。このため、案内筒４の内部空間の直径と消火ボール１０の直径とが略同一でありながらも空気通路４５によって消火ボール１０の移動が促進される。結果として、案内筒４は、消火ボール１０の移動を促進しつつも発射方向を正確に制御できるようになる。
【０１４０】
なお、空気通路４５は、案内筒４内部に、単数および複数設けられてもよい。
（アタッチメント）
【０１４１】
案内筒４は、内部空間において消火ボール１０に摩擦を与えるアタッチメントを更に備えていることも好適である。消火装置１０は、案内筒４内部で消火ボール１０の外殻を破砕して、内容物１００を放出するが、実施の形態２で説明したように、火災の特性によっては消火ボール１０をそのまま発射することもある。この場合には、アタッチメントを備えていることで、発射される消火ボール１０の軌道制御が容易となる。
【０１４２】
図９は、本発明の実施の形態３におけるアタッチメントを備える案内筒の側面図である。図１０は、本発明の実施の形態３にけるアタッチメントを備える案内筒の正面図である。いずれの図面も、案内筒４は、その内部に消火ボール１０に摩擦を与えるアタッチメント８を備えている。アタッチメント８は、案内筒４を移動する消火ボール１０の表面と接触して、消火ボール１０に摩擦を与える。この摩擦によって消火ボール１０には適当な回転が生じ、消火ボール１０は、目標となる着弾位置に正確に到達する。
【０１４３】
球形の消火ボール１０は、発射されて投擲される際に、全く回転を有していないと、重力に引きずられて下方に落ちてしまう。これに対して消火ボール１０が回転をしていると、重力や空気抵抗に対する抵抗力を有することになるので、消火ボール１０は、下方に落ちることなく目標となる着弾位置に到達しやすくなる。
【０１４４】
アタッチメント８は、消火ボール１０の表面に接触可能な摩擦体８３と、摩擦体８３の表面に設けられる消火ボール１０の表面と少なくとも２箇所で接触する凸部８４、８５と、を備える。凸部８４、８５の形状や構造は、図１０に示される通りである。また、アタッチメント８は、取り付け具８１によって案内筒４の内部空間に取り付けられる。
【０１４５】
アタッチメント８は、この摩擦体８３および凸部８４、８５によって、消火ボール１０を表面に接触することで、消火ボール１０に回転を生じさせる。図９を用いて説明する。消火ボール１０は、加圧部３（図示せず）によって圧縮空気の圧力を受けて移動を開始する。この移動を開始した消火ボール１０は、案内筒４内部に入り込む。この位置での消火ボール１０を、図９においては消火ボール１０Ｆとして示す。消火ボール１０は、初速および継続する圧縮空気の圧力によって、案内筒４内部を進む。
【０１４６】
案内筒４内部を進んだ消火ボール１０は、やがて射出口４２に近づく。射出口４２の手前においてアタッチメント８が設けられている。このアタッチメント８の摩擦体８３および凸部８４、８５の少なくとも一部と、消火ボール１０は接触する。このときの消火ボール１０の位置を、消火ボール１０Ｇとして示す。消火ボール１０は、摩擦体８３等と接触することで摩擦を受け、この摩擦によって、消火ボール１０は、回転しながら射出口４２から発射される。この結果、消火ボール１０は、回転しながら着弾位置に到達できる。消火ボール１０は、回転しながら投擲されることで、空気抵抗や重力による影響を受けにくく、消火装置１が狙った位置に到達しやすくなる。これは、野球のボールが回転しながらまっすぐに飛ぶことと同様である。
【０１４７】
２つの凸部８４、８５は、それぞれ消火ボール１０の移動方向に沿って接触面を有することが好適である。加えて、２つの凸部８４、凸部８５のそれぞれは、略平行であることが好適である。このような構造を有することで、凸部８４、８５は、消火ボール１０に対して所定方向への回転を与えることができる。例えば、アタッチメント８が、案内筒４の上部に取り付けられている場合には、凸部８４、８５は、消火ボール１０に対して縦回転を与えることができる。縦回転は、重力や空気抵抗に対しての抵抗力を有するので、消火ボール１０は、落下することが少なくなって、目標とする着弾位置に正確に到達できるようになる。
【０１４８】
また、アタッチメント８が、案内筒４の左右のいずれかに取り付けられている場合には、消火ボール１０には、横回転が与えられる。この横回転によって、消火ボール１０は、カーブしながら着弾位置に到達できる。
【０１４９】
例えば、消火装置１の設置できる位置と着弾位置とがまっすぐにつなげられないような障害物がある状態では、このようなカーブによって消火ボール１０を投擲することも適当である。例えば、火災現場の手前に建物や駐車中の車がある場合にも、これらの障害物を避けながら消火ボール１０を着弾位置に到達させることができるようになる。
【０１５０】
また、消火ボール１０の回転数や回転量は、アタッチメント８が付与する摩擦力によって定まる。この摩擦力は、摩擦体８３や凸部８４、８５と消火ボール１０との接触量とによって定まる。この接触量は、消火ボール１０に対して摩擦体８３がどれだけの力（距離）で押し当てられるかによって定まる。このため、アタッチメント８は、摩擦体８３を消火ボール１０に対して（案内筒４の内部空間に対して）上下可能にする調整部材８２を更に備えることも好適である。
【０１５１】
図１０に、調整部材８２を備えるアタッチメント８が示される。
【０１５２】
調整部材８２は、案内筒４の外側に突き出ており、取り付け具８１を介してアタッチメント８を案内筒４の内部に設置するようにしている。調整部材８２は、ねじによって回転可能で、この回転によって取り付け具８１が前後して、摩擦体８３を上下させる。摩擦体８３が、案内筒４の内部空間により深く入り込む場合には、消火ボール１０に対してより強く接触することになるので、消火ボール１０には強い摩擦が加わることになる。この強い摩擦によって、消火ボール１０は、より多い回転数で回転できるようになる。回転数が多いことで、直線的な投擲やカーブにおける角度がより強くなる。
【０１５３】
一方、摩擦体８３が案内筒４の内部空間において消火ボール１０から遠ざかる方向に移動する場合には、摩擦体８３は、消火ボール１０に弱い摩擦力を与える。弱い摩擦力の結果、消火ボール１０の回転数は少なくなる。
【０１５４】
摩擦体８３を上下させる調整部材８２によって、アタッチメント８は、消火ボール１０に対して与える摩擦力を調整でき、消火ボール１０の回転数を調整できる。
【０１５５】
摩擦体８３は、所定の幅と長さを有しており、基板となる基材と消火ボール１０の表面と接触する接触面とを有する。基材は、取り付け具８１と接続する金属、樹脂、合金で形成される。接触面は、ゴム、フェルトなどの素材やネオプレンスポンジなどの吸収性のある合成素材で形成される。また、基材の一部が盛り上がることで、この基材の表面に貼り付けられた接触面が、凸部８４、８５を形成できる。この結果、摩擦体８３は、凸部８４、８５と一体的な構成を有し、この一体的な構成によってアタッチメント８は、消火ボール１０に摩擦を与えることができる。
【０１５６】
なお、凸部８４、８５は、いずれか一方だけが設けられても良い。また、複数のアタッチメント８が、案内筒４に取り付けられても良い。
【０１５７】
以上のように、案内筒４がアタッチメントを備えることで、消火装置１は、消火ボール１０に適切な回転を与えることができ、消火ボール１０は、目標となる着弾位置に正確に投擲される。この結果、火災やテロなどの消火や沈静のために必要となる内容物を収容する消火ボール１０を、目標とする着弾位置に、適切に発射できるようになる。
【０１５８】
以上のように、アタッチメントが備わることで、発射モードの際の消火ボール１０の発射が、十分に制御される。
【０１５９】
なお、消火装置１を使用する使用方法も、本発明に含まれる。
【０１６０】
すなわち、実施の形態１〜３で説明された消火装置１を用いて、次の手順（１）〜（７）の一部若しくは全部を用いて、内容物１００を放出したり、消火ボール１０を発射したりすることは、本発明に含まれる。
（１）投入部７を介して（あるいは介さずに）消火ボール１０を設置位置４１に設置する、
（２）圧縮空気タンク２に収容されている圧縮空気を噴射するための手順を行う、
（３）噴射された圧縮空気が加圧部３において消火ボール１０へ圧力を付与する、
（４）圧力を付与された消火ボール１０が移動を開始する、
（５）移動を開始した消火ボール１０は、案内筒４内部を進む、
（６）放出モードの際には、破砕手段９が消火ボール１０の外殻を破砕し、発射モードの際には、消火ボール１０はそのまま射出口４２に進む
（７）射出口４２から内容物１００が放出されるか、消火ボール１０が発射される。
【０１６１】
これらは、例えば操作ボタン等の操作によって実行される。
以上、実施の形態１〜３で説明された消火装置は、本発明の趣旨を説明する一例であり、本発明の趣旨を逸脱しない範囲での変形や改造を含む。
【符号の説明】
【０１６２】
１    消火装置
２    圧縮空気タンク
３    加圧部
４    案内筒
４１    設置位置
４２    射出口
４５    空気通路
４８    溝
５    連絡通路
６    台座
７    投入部
８    アタッチメント
８１    取り付け具
８２    調整部材
８３    摩擦体
８４、８５    凸部
９    破砕手段
９１    突出部材
【図１】
0005759842.tif 000002
【図２】
0005759842.tif 000003
【図３】
0005759842.tif 000004
【図４】
0005759842.tif 000005
【図５】
0005759842.tif 000006
【図６】
0005759842.tif 000007
【図７】
0005759842.tif 000008
【図８】
0005759842.tif 000009
【図９】
0005759842.tif 000010
【図１０】
0005759842.tif 000011